(57)【要約】【課題】ＬＡＮケーブルの引き抜き作業の効率化等に寄与する、ネットワーク経路表示方法等を提供する。【解決手段】ネットワーク１に接続したコンピュータ３により所定のコマンドを実行し、スイッチングハブ７等のネットワーク機器に対しパケットを受信した接続ポート及びパケットを送信した接続ポートに対応するインジケータを所定時間発光させるポート発光要求を含んだポート発光パケットを、サーバ５に向けて送信する。各ネットワーク機器は、ポート発光パケットを受信してこれをネットワーク機器等の次の送信先へと送信するとともに、ポート発光パケットを受信した接続ポート及びこれを送信した接続ポートに対応するインジケータを所定時間発光させる。【選択図】図２
2011205448.tif 000002
【特許請求の範囲】
【請求項１】
接続ポートおよび前記接続ポートに対応するインジケータを有するネットワーク機器と、接続ポートにおいて前記ネットワーク機器に接続されるＬＡＮケーブルが少なくとも含まれるネットワークにおいて、ネットワーク経路を表示するネットワーク経路表示方法であって、
前記ネットワークに接続した情報処理端末により所定のコマンドを実行し、ネットワーク機器に対しパケットを受信した接続ポート及びパケットを送信した接続ポートに対応するインジケータを発光させるポート発光要求を含んだポート発光パケットを、前記ネットワークの所定の送信先に向けて送信するポート発光パケット送信ステップと、
前記ネットワーク機器が、前記ポート発光パケットを受信してこれを次の送信先へと送信するとともに、前記ポート発光パケットを受信した接続ポート及びこれを送信した接続ポートに対応するインジケータを発光させるポート発光ステップと、
を具備することを特徴とするネットワーク経路表示方法。
【請求項２】
前記所定のコマンドに応じて、前記ポート発光ステップにおいて前記インジケータを発光させる時間または形式を変化させることを特徴とする請求項１記載のネットワーク経路表示方法。
【請求項３】
前記ネットワークに接続した情報処理端末により所定のコマンドを実行し、ネットワーク機器に対しパケットを受信した接続ポート及びパケットを送信した接続ポートに対応するインジケータの発光状態を元に戻すポート発光解除要求を含んだポート発光解除パケットを、前記ネットワークの所定の送信先に向けて送信するポート発光解除パケット送信ステップと、
前記ネットワーク機器が、前記ポート発光解除パケットを受信してこれを次の送信先へ送信するとともに、前記ポート発光解除パケットを受信した接続ポート及びこれを送信した接続ポートに対応するインジケータの発光状態を元に戻すポート発光解除ステップと、
を更に具備することを特徴とする請求項１記載のネットワーク経路表示方法。
【請求項４】
接続ポートおよび前記接続ポートに対応するインジケータを有するネットワーク機器と、接続ポートにおいて前記ネットワーク機器に接続されるＬＡＮケーブルが少なくとも含まれるネットワークにおいて、ＬＡＮケーブルを抜去するケーブル抜去方法であって、
前記ネットワークに接続した情報処理端末により所定のコマンドを実行し、ネットワーク機器に対しパケットを受信した接続ポート及びパケットを送信した接続ポートに対応するインジケータを発光させるポート発光要求を含んだポート発光パケットを、前記ネットワークの所定の送信先に向けて送信するポート発光パケット送信ステップと、
前記ネットワーク機器が、前記ポート発光パケットを受信してこれを次の送信先へと送信するとともに、前記ポート発光パケットを受信した接続ポート及びこれを送信した接続ポートに対応するインジケータを発光させるポート発光ステップと、
発光したインジケータに対応する接続ポートの少なくとも１箇所において、ＬＡＮケーブルを抜去するケーブル抜去ステップと、
を具備することを特徴とするケーブル抜去方法。
【請求項５】
ネットワークを構成する、接続ポートおよび前記接続ポートに対応するインジケータを有するネットワーク機器と、接続ポートにおいて前記ネットワーク機器に接続されるＬＡＮケーブルと、を少なくとも具備し、
前記ネットワーク機器は、前記ネットワークに接続された情報処理端末が所定のコマンドを実行することにより前記ネットワークの所定の送信先に向けて送信された、ネットワーク機器に対しパケットを受信した接続ポート及びパケットを送信した接続ポートに対応するインジケータを発光させるポート発光要求を含んだポート発光パケットを受信してこれを次の送信先へと送信するとともに、前記ポート発光パケットを受信した接続ポート及びこれを送信した接続ポートに対応するインジケータを発光させることを特徴とするネットワーク経路表示システム。
【発明の詳細な説明】
【技術分野】
【０００１】
本発明はネットワーク経路を表示するネットワーク経路表示方法、ネットワーク経路の表示に応じてＬＡＮケーブルを抜去するケーブル抜去方法、およびネットワーク経路表示システムに関する。
【背景技術】
【０００２】
ネットワークを構成する際、ＬＡＮ（Ｌｏｃａｌ  Ａｒｅａ  Ｎｅｔｗｏｒｋ）ケーブルが用いられる場合がある。ＬＡＮケーブルは、スイッチングハブやルーター等のネットワーク機器の接続などに用いられる。
【０００３】
サーバによりネットワークを介して提供されていたサービスの停止時など、ネットワーク機器等に接続していたＬＡＮケーブルで不要になったものを取り外す（抜去する）場合がある。特許文献１には、このようなネットワークについて、配線管理情報を記憶するデータベースやＩＣタグ等を用いて、配線作業を効率化する配線支援システムが記載されている。
【先行技術文献】
【特許文献】
【０００４】
【特許文献１】特開２００６−５４１１８号公報
【発明の概要】
【発明が解決しようとする課題】
【０００５】
ネットワークが複雑となる場合、多くのＬＡＮケーブルが、多くのネットワーク機器に複雑に接続することになる。そして上記のようなケーブル引き抜き作業では、これらの複雑な接続構成から、目的のケーブルを抜去する必要がある。しかしながら、ネットワーク機器に接続された多くのケーブルから所望のケーブルを抜去することは容易ではなく、間違ったケーブルの抜去や抜去時の事故が起こる要因となっている。特許文献１の方法では、間違ったケーブルの抜去や抜去時の事故を抑制することができるが、ＩＣタグ等を配線盤のパネルに取り付ける等の必要がある。
【０００６】
一方で、ネットワークにおけるホスト間の接続経路を調べることが正しい抜去位置を定めるために有効である可能性がある。例えばＵＮＩＸ（登録商標）には、接続経路を表示させるコマンドとして、ｔｒａｃｅｒｏｕｔｅコマンドがある（Ｗｉｎｄｏｗｓ（登録商標）ではｔｒａｃｅｒｔ）。
【０００７】
例えばネットワークに接続されたコンピュータで、ネットワーク経路を調べたいサーバのＩＰアドレスを指定してｔｒａｃｅｒｏｕｔｅコマンドを実行すると、コンピュータは、ＴＴＬ（Ｔｉｍｅ  Ｔｏ  Ｌｉｖｅ）の値を１として、エコー要求を含むエコー要求パケットを当該ＩＰアドレスに宛てて送信する。ルーターやスイッチングハブ等、経路途中のネットワーク機器は、当該パケットを受信してＴＴＬの値を減らし、当該値が０でない場合は経路上の次のネットワーク機器等の送信先にエコー要求パケットを送信するが、０の場合にはエラーパケットをパケット送信元のコンピュータに送信する。コンピュータはエラーパケットを受信すると、ＴＴＬの値を１増やしたエコー要求パケットを再度サーバのＩＰアドレス宛に送信する。これをエコー要求パケットがサーバのＩＰアドレスに到達するまで繰り返す。サーバはエコー要求パケットを受信すると、エコーパケットをコンピュータまで送信する。サーバまでの接続経路は、上記の処理を行いエラーパケットを送信したネットワーク機器のＩＰアドレスのリストとして表すことができる。
【０００８】
例えば図４（ａ）に示すようなネットワーク１００があるとする。ネットワーク１００は、スイッチングハブ１１０、１２０、１４０、１５０やルーター１３０等のネットワーク機器と、ＬＡＮケーブル２１０、２２０、２３０、２４０、２５０、２６０等により構成され、コンピュータ２００、サーバ３００が接続される。スイッチングハブ１１０、１５０はＬ２スイッチングハブ、スイッチングハブ１２０、１４０はＬ３スイッチングハブである。各ネットワーク機器はＬＡＮケーブルを接続するための接続ポートを有する。また、スイッチングハブ１１０、１５０にはＩＰアドレスが割り当てられておらず、スイッチングハブ１２０、１４０にはＩＰアドレスが割り当てられている。
【０００９】
ここで、コンピュータ２００でサーバ３００のＩＰアドレスを指定してｔｒａｃｅｒｏｕｔｅコマンドを実行すると、図４（ｂ）に示すように、コンピュータ２００からサーバ３００までのネットワーク経路が、経路途中のネットワーク機器のＩＰアドレスのリストとしてコンピュータ２００に表示される。
【００１０】
但し、ｔｒａｃｅｒｏｕｔｅコマンドの実行結果としては、コンピュータ２００側（パケット受信側）の接続ポートのＩＰアドレスが各ネットワーク機器のＩＰアドレスとして表示され、またＩＰアドレスが割り当てられていないスイッチングハブ１１０等ではＩＰアドレスは表示されない。ＬＡＮケーブルの引き抜き作業はいずれの接続ポートに対しても行う可能性があり、また、ネットワーク引き抜きの際にＩＰアドレスから接続ポートを確認することは効率が悪く、ＬＡＮケーブルの引き抜き作業の効率化を目的としてｔｒａｃｅｒｏｕｔｅコマンドを利用することは難しい。
【００１１】
本発明は、前述した問題点に鑑みてなされたもので、ＬＡＮケーブルの引き抜き作業の効率化等に寄与する、ネットワーク経路表示方法等を提供することを目的とする。
【課題を解決するための手段】
【００１２】
前述した目的を達するための第１の発明は、接続ポートおよび前記接続ポートに対応するインジケータを有するネットワーク機器と、接続ポートにおいて前記ネットワーク機器に接続されるＬＡＮケーブルが少なくとも含まれるネットワークにおいて、ネットワーク経路を表示するネットワーク経路表示方法であって、前記ネットワークに接続した情報処理端末により所定のコマンドを実行し、ネットワーク機器に対しパケットを受信した接続ポート及びパケットを送信した接続ポートに対応するインジケータを発光させるポート発光要求を含んだポート発光パケットを、前記ネットワークの所定の送信先に向けて送信するポート発光パケット送信ステップと、前記ネットワーク機器が、前記ポート発光パケットを受信してこれを次の送信先へと送信するとともに、前記ポート発光パケットを受信した接続ポート及びこれを送信した接続ポートに対応するインジケータを発光させるポート発光ステップと、を具備することを特徴とするネットワーク経路表示方法である。
【００１３】
また、前記所定のコマンドに応じて、前記ポート発光ステップにおいて前記インジケータを発光させる時間または形式を変化させることが望ましい。
【００１４】
さらに、第１の発明のネットワーク経路表示方法は、前記ネットワークに接続した情報処理端末により所定のコマンドを実行し、ネットワーク機器に対し、パケットを受信した接続ポート及びパケットを送信した接続ポートに対応するインジケータの発光状態を元に戻すポート発光解除要求を含んだポート発光解除パケットを、前記ネットワークの所定の送信先に向けて送信するポート発光解除パケット送信ステップと、前記ネットワーク機器が、前記ポート発光解除パケットを受信してこれを次の送信先へ送信するとともに、前記ポート発光解除パケットを受信した接続ポート及びこれを送信した接続ポートに対応するインジケータの発光状態を元に戻すポート発光解除ステップと、を更に具備してもよい。
【００１５】
前述した目的を達するための第２の発明は、接続ポートおよび前記接続ポートに対応するインジケータを有するネットワーク機器と、接続ポートにおいて前記ネットワーク機器に接続されるＬＡＮケーブルが少なくとも含まれるネットワークにおいて、ＬＡＮケーブルを抜去するケーブル抜去方法であって、前記ネットワークに接続した情報処理端末により所定のコマンドを実行し、ネットワーク機器に対しパケットを受信した接続ポート及びパケットを送信した接続ポートに対応するインジケータを発光させるポート発光要求を含んだポート発光パケットを、前記ネットワークの所定の送信先に向けて送信するポート発光パケット送信ステップと、前記ネットワーク機器が、前記ポート発光パケットを受信してこれを次の送信先へと送信するとともに、前記ポート発光パケットを受信した接続ポート及びこれを送信した接続ポートに対応するインジケータを発光させるポート発光ステップと、発光したインジケータに対応する接続ポートの少なくとも１箇所において、ＬＡＮケーブルを抜去するケーブル抜去ステップと、を具備することを特徴とするケーブル抜去方法である。
【００１６】
前述した目的を達するための第３の発明は、ネットワークを構成する、接続ポートおよび前記接続ポートに対応するインジケータを有するネットワーク機器と、接続ポートにおいて前記ネットワーク機器に接続されるＬＡＮケーブルと、を少なくとも具備し、前記ネットワーク機器は、前記ネットワークに接続された情報処理端末が所定のコマンドを実行することにより前記ネットワークの所定の送信先に向けて送信された、ネットワーク機器に対しパケットを受信した接続ポート及びパケットを送信した接続ポートに対応するインジケータを発光させるポート発光要求を含んだポート発光パケットを受信してこれを次の送信先へと送信するとともに、前記ポート発光パケットを受信した接続ポート及びこれを送信した接続ポートに対応するインジケータを発光させることを特徴とするネットワーク経路表示システムである。
【００１７】
上記構成により、ネットワークに接続したコンピュータ等の情報処理端末により所定のコマンドを実行し、ネットワーク機器に対しパケットを受信した接続ポート及びパケットを送信した接続ポートに対応するインジケータを発光させるポート発光要求を含んだポート発光パケットを、ネットワークの所定の送信先に向けて送信する。これを受信したネットワーク機器は、ポート発光パケットを受信してこれを次の送信先へと送信するとともに、ポート発光パケットを受信した接続ポート及びこれを送信した接続ポートに対応するインジケータを発光させる。これにより、ホスト間のネットワーク経路が、ケーブルが接続されている接続ポートとして視認でき、サーバによるサービスの不要時などは、発光しているインジケータに対応する接続ポートのＬＡＮケーブルを引き抜くことにより、ケーブル引き抜き作業の効率化等に寄与する。なお、ネットワーク経路でポート発光パケットが送受信された接続ポートが視認できることは、ケーブル引き抜き作業を効率化するだけでなく、パケットが正常に送受信された接続ポートを視認することにもなるので、ネットワークの障害発生時の問題切り分け等にも役立つ。
【００１８】
加えて、コマンドの内容に応じて、ポート発光ステップにおいてインジケータを発光させる時間または形式を変化させることができる。また、ポート発光パケットと同様に、ポートの発光状態を元に戻すポート発光解除要求を含んだポート発光解除パケットを送信することで、適当なタイミングでインジケータの発光状態を解除することができ、ポート発光パケットの送信先を間違えた場合すぐインジケータの発光状態を元に戻すこと等が可能になる。
【発明の効果】
【００１９】
本発明により、ＬＡＮケーブルの引き抜き作業の効率化等に寄与する、ネットワーク経路表示方法等を提供することができる。
【図面の簡単な説明】
【００２０】
【図１】ネットワークの一例を示す図
【図２】ネットワーク経路表示方法の手順を示す流れ図
【図３】ネットワーク経路の表示状態の一例を示す図
【図４】ネットワーク経路の表示方法の一例を示す図
【発明を実施するための形態】
【００２１】
以下、図面に基づいて本発明に係るネットワーク経路表示方法の実施形態について詳細に説明する。まず、図１を参照しながら、本実施形態のネットワーク経路表示方法を適用するネットワークについて説明する。
【００２２】
図１に示すように、ネットワーク１は、スイッチングハブ７、９、１１、１３や、ルーター１０等のネットワーク機器と、ＬＡＮケーブル２１、２３、２５、２７、２９、３１等により構成され、コンピュータ３、サーバ５が接続される。スイッチングハブ７、１３はＬ２スイッチングハブ、スイッチングハブ９、１１はＬ３スイッチングハブである。ここでスイッチングハブ７、１３にはＩＰアドレスが割り当てられておらず、スイッチングハブ９、１１にはＩＰアドレスが割り当てられている。勿論、ネットワーク１００を構成する部分はこれに限ることはなく、例えばファイアウォール、サーバロードバランサ等がネットワーク機器として設けられる場合もある。各ネットワーク機器には、ＣＰＵ、ＲＯＭ、メモリ等の制御部、ＬＡＮケーブルを接続する接続ポート、各接続ポートに対応し後述するポート発光要求に応じて発光するインジケータなどが設けられている。ＲＯＭには、パケットデータを解析し、後述するデータ送受信やインジケータ発光等の制御を行うためのプログラムが格納されている。
【００２３】
ＬＡＮケーブル２１、２３、２５、２７、２９、３１は、ネットワーク機器どうし、またはコンピュータ３やサーバ５とネットワーク機器を接続する。
【００２４】
ＬＡＮケーブル２１は、コンピュータ３とスイッチングハブ７を接続する。同様に、ＬＡＮケーブル２３はスイッチングハブ７と９を、ＬＡＮケーブル２５はスイッチングハブ９とルーター１０を、ＬＡＮケーブル２７はルーター１０とスイッチングハブ１１を、ＬＡＮケーブル２９はスイッチングハブ１１と１３を、ＬＡＮケーブル３１はスイッチングハブ１３とサーバ５とを接続する。
【００２５】
各ネットワーク機器には、ＬＡＮケーブルを接続する接続ポートが設けられている。例えばスイッチングハブ７、９、１１、１３には接続ポート７ａ（７ａ−１、・・・）、９ａ（９ａ−１、・・・）、１１ａ（１１ａ−１、・・・）、１３ａ（１３ａ−１）が設けられており、ルーター１０には接続ポート１０ａ（１０ａ−１、・・・）が設けられている。図１に示すネットワーク１においては、スイッチングハブ７の接続ポート７ａ−２、７ａ−８にＬＡＮケーブル２１、２３の端部がそれぞれ接続されている。同様に、スイッチングハブ９の接続ポート９ａ−４、９ａ−１にＬＡＮケーブル２３、２５の端部がそれぞれ接続されており、ルーター１０の接続ポート１０ａ−４、１０ａ−３にＬＡＮケーブル２５、２７の端部がそれぞれ接続されており、スイッチングハブ１１の接続ポート１１ａ−１、１１ａ−２にＬＡＮケーブル２７、２９の端部がそれぞれ接続されており、スイッチングハブ１３の接続ポート１３ａ−８、１３ａ−２にＬＡＮケーブル２９、３１の端部がそれぞれ接続されている。
【００２６】
そして、本実施形態では、各ネットワーク機器の接続ポートに対応する、後述するポート発光要求に応じて発光するＬＥＤ等のインジケータを設ける。例えば、スイッチングハブ７には、接続ポート７ａ（７ａ−１、・・・）にそれぞれ対応するインジケータ７ｂ（７ｂ−１、・・・）を設ける。同様に、スイッチングハブ９、１１、１３、ルーター１０にも、接続ポート９ａ（９ａ−１、・・・）、１１ａ（１１ａ−１、・・・）、１３ａ（１３ａ−１、・・・）、１０ａ（１０ａ−１、・・・）にそれぞれ対応するインジケータ９ｂ（９ｂ−１、・・・）、１１ｂ（１１ｂ−１、・・・）、１３ｂ（１３ｂ−１、・・・）、１０ｂ（１０ｂ−１、・・・）を設ける。
【００２７】
次に、図２、図３を用いて、本発明のネットワーク経路表示方法の実施形態について、各ネットワーク機器における処理を中心として説明する。本実施形態では、コンピュータ３とサーバ５間のネットワーク経路を表示させる例について説明する。
【００２８】
本実施形態のネットワーク経路表示方法では、まず、コンピュータ３により、サーバ５のＩＰアドレスとともにパケットを受信した接続ポート（受信ポート）、パケットを送信した接続ポート（送信ポート）に対応するインジケータを所定時間発光させるためのポート発光要求を含んだポート発光パケットを、所定のコマンドを実行することにより送信する。
【００２９】
なお、所定のコマンドとは、各ネットワーク機器に受信ポート、送信ポートに対応するインジケータを所定時間発光させるポート発光要求を含むとともに、ｔｒａｃｅｒｏｕｔｅやｐｉｎｇのように最終的な送信先までネットワーク機器間で受け渡しされるパケット（ポート発光パケット）を送信させるものであればよく、例えばポート発光要求の部分をオプションとして設定したｔｒａｃｅｒｏｕｔｅコマンドやｐｉｎｇコマンドとすることができる。各ネットワーク機器には、パケットデータを解析しこれらの要求に応じて受信ポート、送信ポートに対応するインジケータを所定時間発光させる機能を実装させておく。なお、インジケータを発光させる時間は特に限定されるものではなく、ポート発光要求の一部として予め定めておけばよいが、コマンドのオプション等により変更可能としてもよい。発光時間を定めることで、別段の処理を行うことなく自動的にインジケータの発光状態を元に戻すことができ、発光時間を変更可能とすることで、ネットワーク経路表示後の作業に応じて発光時間を適宜定めることができる。
【００３０】
すると、図２に示すように、コンピュータ３からサーバ５に至るネットワーク経路上のスイッチングハブ７等のネットワーク機器は、まずコンピュータ３を起点として送信されたパケットを接続ポート（受信ポート）より受信する（ステップ１０１）。
【００３１】
ネットワーク機器のＣＰＵは、受信したパケットデータを解析して判定を行い、ネットワーク機器やサーバ等の次の送信先へ送信すべきポート発光パケットであれば（ステップ１０２の「ＹＥＳ」）、当該パケットを送信する接続ポート（送信ポート）を選択するとともに、ポート発光要求に基づき、受信ポート、送信ポートに対応するインジケータを発光させる（ステップ１０３）。そして、次の送信先へとポート発光パケットを送信する（ステップ１０４）。なお、スイッチングハブ７、１１はＩＰアドレスが割り当てられていないＬ２スイッチングハブである（ｔｒａｃｅｒｏｕｔｅコマンドについては、これに係る処理を行わずパケットの受け渡しのみを行う）が、上記したポート発光要求は、このようなネットワーク機器についても受信ポートと送信ポートを発光させるように定めておく。なお、経路途中に無線ＬＡＮなどＬＡＮケーブル（接続ポート）を介さずにデータ送受信を行うネットワーク機器が存在する場合には、ＬＡＮケーブルを介さない区間ではパケットの受け渡しのみを行うように定めておけばよい。
【００３２】
次の送信先へ送信すべきポート発光パケットでなければ（ステップ１０２の「ＮＯ」）、適宜パケットの処理を行い、ポート発光パケットの再度の受信をまつ。なお、ｔｒａｃｅｒｏｕｔｅやｐｉｎｇコマンドのオプションとしてポート発光要求を定める場合には、ネットワーク機器で受信したポート発光パケットを送信せずに破棄する場合がある（ＴＴＬが０となった場合など）が、いずれにせよ、ｔｒａｃｅｒｏｕｔｅコマンドではＴＴＬの値を増やして再度パケットを送信することにより、あるいはｐｉｎｇコマンドではＴＴＬの値を適切に定めることにより、ネットワークが正常な場合にはサーバ５へ至る経路上の全てのネットワーク機器にパケットの送信を行わせることができ、経路上の全てのネットワーク機器の受信ポート、送信ポートを発光させることが可能である。
【００３３】
インジケータを発光させる形式は、点灯や点滅、色等特に限定されるものではなく、ポート発光要求の一部として予め定めておけばよいが、点灯や点滅、または点滅の場合にはその間隔等、インジケータを発光させる形式も、コマンドのオプション等により変更可能とすることができる。発光の形式を変更可能とすることで、自ら実行したコマンドによるインジケータの発光と、他者が別のコンピュータで実行したコマンドによるインジケータの発光との区別をつけることも可能になり、自ら表示させたネットワーク経路と、他者が表示させたネットワーク経路でネットワーク機器の一部が重複する場合などで有効である。
【００３４】
次の送信先がネットワーク機器の場合には当該ネットワーク機器でステップ１０１〜ステップ１０４と同様の処理が行われる。各ネットワーク機器は、ポート発光パケットの受け渡しをサーバ５まで行いつつ、ポート発光パケットの受信ポートと送信ポートに対応するインジケータを発光させる。こうして、ネットワーク１においては、図３に示すように、スイッチングハブ７の接続ポート７ａ−２（受信ポート）に対応するインジケータ７ｂ−２と、接続ポート７ａ−８（送信ポート）に対応するインジケータ７ｂ−８が所定時間発光する。同様に、各ネットワーク機器についてポート発光パケットの受信ポート、送信ポートに対応するインジケータがそれぞれ所定時間発光する。即ち、スイッチングハブ９ではインジケータ９ｂ−４と９ｂ−１が、ルーター１０ではインジケータ１０ｂ−４と１０ｂ−３が、スイッチングハブ１１ではインジケータ１１ｂ−１と１１ｂ−２が、スイッチングハブ１３ではインジケータ１３ｂ−８と１３ｂ−２が所定時間発光する。
【００３５】
各ネットワーク機器は、所定時間が経過するまで（ステップ１０５の「ＮＯ」）インジケータを発光させ、所定時間が経過する（ステップ１０５の「ＹＥＳ」）と、受信ポート、送信ポートのインジケータ発光状態を解除し、元の状態に戻す（ステップ１０６）。
【００３６】
なお、インジケータ発光状態の解除は、ポート発光パケットの場合と同様、コンピュータ３で所定のコマンドを実行し、送信先のＩＰアドレスとともにパケットの受信ポート、送信ポートに対応するインジケータの発光状態を元に戻すためのポート発光解除要求を含むポート発光解除パケットを送信することにより行い、これを受信した各ネットワーク機器がポート発光パケットの場合と同様にしてパケットを受け渡ししつつ、受信ポート、送信ポートのインジケータ発光状態を解除し、元の状態に戻すようにしてもよい。ポート発光パケットの場合と同様、サーバ５までポート発光解除パケットを受け渡ししつつ経路上の全てのネットワーク機器の受信ポート、送信ポートのインジケータの発光状態を元に戻すことができる。これにより、適当なタイミングでインジケータの発光状態を解除することができ、ポート発光パケットの送信先を間違えた場合すぐインジケータの発光状態を元に戻すこと等が可能になる。
【００３７】
サーバ５によるサービスの停止時など、ＬＡＮケーブルの抜去を行う作業者は、インジケータが発光している間、適当なネットワーク機器において、発光しているインジケータをみながら、これに対応する接続ポートに接続されたＬＡＮケーブルを抜去する。インジケータの発光状態を確認してサーバ５との接続経路にある抜去すべきＬＡＮケーブルを特定できるので、対応する位置で抜去すべきＬＡＮケーブルを素早く抜去できるとともに、間違ったＬＡＮケーブルを抜去してしまうことがなくなる。
【００３８】
また、ホスト間のネットワーク経路が、ケーブルが接続されている接続ポートとして視認できることは、ケーブル引き抜き作業を効率化するだけでなく、パケットが正常に送受信されたポートを知ることができるので、ネットワークの障害発生時の問題切り分けにも役立つ。即ち、ネットワーク経路においてどこまで正常に機能しているかどうかを視認することができる。
【００３９】
以上説明したように、本発明の実施形態によれば、ネットワーク１に接続したコンピュータ３等の情報処理端末により所定のコマンドを実行し、スイッチングハブ１１やルーター１０等のネットワーク機器に対しパケットを受信した接続ポート及びパケットを送信した接続ポートに対応するインジケータを発光させるポート発光要求を含んだポート発光パケットを、サーバ５など、ネットワークの所定の送信先に向けて送信する。これを受信したネットワーク機器は、ポート発光パケットを受信してこれを次のネットワーク機器等の送信先へと送信するとともに、ポート発光パケットを受信した接続ポート及びこれを送信した接続ポートに対応するインジケータを発光させる。これにより、ホスト間のネットワーク経路が、ケーブルが接続されている接続ポートとして視認でき、サーバ５によるサービスの不要時などは、発光しているインジケータに対応する接続ポートのＬＡＮケーブルを引き抜くことにより、ケーブル引き抜き作業の効率化等に寄与する。なお、ネットワーク経路でポート発光パケットが送受信された接続ポートが視認できることは、ケーブル引き抜き作業を効率化するだけでなく、パケットが正常に送受信されたポートを視認することになるので、ネットワークの障害発生時の問題切り分け等にも役立つ。
【００４０】
加えて、コマンドの内容に応じて、インジケータを発光させる時間または形式を変化させることができる。また、ポート発光パケットと同様に、ポートの発光状態を元に戻すポート発光解除要求を含んだポート発光解除パケットを送信することで、適当なタイミングでインジケータの発光状態を解除することができ、ポート発光パケットの送信先を間違えた場合すぐインジケータの発光状態を元に戻すこと等が可能になる。
【００４１】
以上、添付図面を参照しながら、本発明に係るネットワーク経路表示方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
例えば、表示するネットワーク経路は、終点をサーバとするものに限らず、ネットワークにおいて適宜定めることができ、対応するＩＰアドレス等をポート発光パケット等の送信先として上記のコマンドを実行するとよい。
【符号の説明】
【００４２】
１………ネットワーク
３………コンピュータ
５………サーバ
７、９、１１、１３………スイッチングハブ
７ａ、９ａ、１０ａ、１１ａ、１３ａ………接続ポート
７ｂ、９ｂ、１０ｂ、１１ｂ、１３ｂ………インジケータ
１０………ルーター
【図１】
2011205448.tif 000003
【図２】
2011205448.tif 000004
【図３】
2011205448.tif 000005
【図４】
2011205448.tif 000006